(57)【要約】      （修正有）【課題】飲料の内容量あたりの容器の原料の量が多かったり、素材や製造方法が煩雑であったり、容器の本体とキャップとの素材が一体でなかったりして、製造工程が複雑になり、容器内の洗浄が中身ごとに、不充分になりやすく、リサイクルが困難になり現実的にゴミが増える社会問題を解決するため、単一の袋容器素材で製造され、注ぎ口や飲み口の機能を有する部分を一体に備えた飲料用袋容器を提供する。【解決手段】袋の形状の飲料保存の容器であって、単一の袋容器素材で製造され、飲料注入口の袋の角の部分に注ぎ口や飲み口Ａを袋に一体に設けた飲料用袋容器とした。【選択図】図２
2012224392.tif 000002
【特許請求の範囲】
【請求項１】
袋の形状の飲料保存の容器であって、単一の袋容器素材で製造され、飲料注入口の袋の角の部分に注ぎ口や飲み口の機能を有する部分を一体の構造の中に含んだ飲料用袋容器。
【請求項２】
袋容器素材の三方を溶着した袋又はスタンディングパウチのような袋の形状の飲料保存の容器であって、単一の袋容器素材で製造され、飲料注入口の袋の角の部分に注ぎ口や飲み口の機能を有する部分を一体の構造の中に含んだ飲料用袋容器。
【請求項３】
飲料注入口の袋の角の部分に注ぎ口や飲み口の機能を取り出す為のノッチと溶着部分を備えた飲料用袋容器。
【発明の詳細な説明】
【技術分野】
【０００１】本発明は、飲料を保存する袋容器に関する。
【背景技術】
【０００２】飲料を保存する為の容器には、金属製の缶、アルミボトル、ペットボトル等がある。金属性のプルトップ付の缶容器の大部分は、蓋を開閉することができないのに対して、ペットボトルは蓋を開閉でき、飲み口がある為、飲みやすく、また、容器の重さが軽く、持ち運びに便利なために、近年は、ペットボトルが清涼飲料水の容器の主流となっている。
【先行技術文献】
【０００３】
【特許文献】
【特許文献】  特開平１１−１８０４５５
【発明の概要】
【発明が解決しようとする課題】
【０００４】  しかしながら、例えば金属製の缶、アルミボトル、ペットボトル等だと、清涼飲料水を飲み終わった後の、廃棄又はリサイクル時に、缶は重たく、アルミボトル、ペットボトルは、空気を運ぶみたいに、かさばるので、運搬を含めた手間がかかってしまう。【０００５】  又、近年、ペットボトルの製造原料の樹脂を削減した清涼飲料水が提案販売されている。
しかし、いずれも、飲料の内容量あたりの容器の原料の量が多かったり、素材や製造方法が煩雑であったり、容器内の洗浄が中身ごとに、不充分になりやすく、リサイクルが困難になり現実的にゴミが増え社会問題になっている。【０００６】  又、複数枚の合成樹脂シートの周囲を溶着して作成した清涼飲料水の袋容器で、蓋を閉めることにより中身を密封状態とすることができる注出口部と、前記合成樹脂シートの一部を幅広に溶着して作成した溶着部をくり抜いて作成した取っ手部と、前記合成樹脂シートの一部を折り曲げて溶着することにより作成された底部と、を備えることを特徴とするものが開発されている。【０００７】  更に前述の特許文献で、形状が袋容器でも、容器の本体とキャップとの素材が一体でなかったりして、製造工程が複雑になっている。【０００８】  本発明は、以上に述べた従来の構成が有していた課題を解決しようとするものであ。
【課題を解決するための手段】
【０００９】  本発明は、袋の形状の飲料保存の容器であって、単一の袋容器素材で製造され、飲料注入口の袋の角の部分に注ぎ口や飲み口の機能を有する部分を一体の構造の中に含んだ飲料用袋容器である。【００１０】  又、袋容器素材の三方を溶着した袋又はスタンディングパウチのような袋の形状の飲料保存の容器であって、単一の袋容器素材で製造され、飲料注入口の袋の角の部分に注ぎ口や飲み口の機能を有する部分を一体の構造の中に含んだ飲料用袋容器である。【００１１】  又、飲料注入口の袋の角の部分に注ぎ口や飲み口の機能を取り出す為のノッチを備えた飲料用袋容器が示される。【００１２】  又、飲料注入口の袋の角の部分に注ぎ口や飲み口の機能を取り出す為の溶着部分を備えた飲料用袋容器が例示される。
【発明の効果】
【００１３】  飲料の内容量あたりの袋容器の原料を低減でき、廃棄、又はリサイクルにあたり、例えば、飲み口と袋容器本体が単一の素材である為に処理しやすいという利点がある。
【図面の簡単な説明】
【００１４】
【図１】図１は、多層の合成樹脂シートや、合成樹脂加工アルミ箔や、合成樹脂加工紙の周囲を溶着して作成した例えば、三方袋又はスタンディングパウチの注ぎ口や飲み口を有している飲料用袋容器の例を示したものであり、飲料封入前の図面である。
【図２】図２は飲料封入後の図面である。
【図３】図３は飲料封入後の立体図面である。
【発明を実施するための形態】
【００１５】  本発明は５０ｍｌ〜２０００ｍｌの範囲の容量を有する飲料用袋容器である。
【００１６】  容器の原料は合成樹脂（ＰＥポリエチレン・ＰＥＴポリエチレンテレフタレート・ＰＶＣポリ塩化ビニル・ＰＭＭＡポリメタクリル酸メチル・ＰＰポリプロピレン・ＰＡナイロン・ＰＳポリスチレン・ＰＭＰポリメチルペンテン・ＰＶＤＣポリ塩化ビニリデン・ＰＣポリカーボネート等）から選ばれた単層又は多層シートと、合成樹脂加工アルミ箔と合成樹脂加工紙のシートを用いることが出来る。
例えば、多層の合成樹脂シートや、合成樹脂加工アルミ箔や、合成樹脂加工紙の周囲を溶着して作成した例えば、三方袋又はスタンディングパウチの注ぎ口や飲み口を有している飲料用袋容器が出来る。
【００１７】  本発明の飲料用袋容器の特徴は、注ぎ口や飲み口を有していることである。
【００１８】  本発明の飲料用袋容器によれば、の清涼飲料水や炭酸飲料水を保存し、例えば、三方袋又はスタンディングパウチの注ぎ口や飲み口を有している飲料用袋容器の図１に示すＡの注ぎ口や飲み口の開口部を、５ｍｍ〜２０ｍｍと狭くできるので、脱気が保たれ、密着して、例えば炭酸飲料水を飲んでも、炭酸が抜ける量を最小限に抑えることができ、炭酸飲料水の味が保たれ、炭酸飲料水を最後まで、美味しく飲むことができる飲料用袋容器を提供出来る。
【００１９】図１に示すＢのノッチより切り取ることで容易になり、注ぎ口や飲み口の作成を行える。
【００２０】  図１のＤのノッチをＥの位置まで切り裂くか、又は、Ｅに切り取り線を有して、切り裂くかで、Ａの注ぎ口や飲み口を確保できる。その際、Ｅの位置で折り曲げると、飲みやすい。
また、Ａから吸うのと、袋をつぶして、圧力で、注ぎ口や飲み口に液体を押し上げるよう集めることで、飲みやすくなる。
【００２１】  図１に示されるＡの部分の範囲は５ｍｍ〜５０ｍｍ、Ｄの部分の範囲は５ｍｍ〜５０ｍｍ位で、注ぎ口や飲み口を有する袋容器を作成する事が好ましい。
【００２２】  本発明の飲料用袋容器は、詰め替え容器としても用いられるが、その際は、図１のＣが１０ｍｍ〜１００ｍｍの範囲が好ましい。
【産業上の利用可能性】
【００２３】  水、清涼飲料水、アルコール飲料、栄養飲料、ペット用飲料の容器として用いることが出来る。
【符号の説明】
【００２４】Ａ  注ぎ口や飲み口
Ｂ  注ぎ口や飲み口の切り取り用のノッチ
Ｃ  溶着部分
Ｄ  溶着部分切り取り用のノッチ
Ｅ  溶着部分切り取り線
Ｆ  飲料封入後の溶着部分
Ｇ  脱気スペース
Ｈ  飲料
【図１】
2012224392.tif 000003
【図２】
2012224392.tif 000004
【図３】
2012224392.tif 000005